(57)【要約】【課題】在宅者がテレビから簡単にメッセージを入力でき、外出者が携帯電話から送ったメッセージを含めて、テレビと携帯電話の双方にメッセージを表示するような電子掲示板システムを実現する。【解決手段】テレビに固有の認証ＩＤを与え、これを用いて認証してサーバに自動ログインする。このテレビを共有するサブユーザの携帯電話につき、これからサーバにログインするためのパスワードを、テレビよりサーバに登録する。テレビ、携帯電話の双方からメッセージを入力できる。サーバには認証ＩＤ、パスワード、メッセージ、入力者名、入力日時が格納され、テレビないし携帯電話からアクセスされた場合には、サーバは各々で表示するためのＨＴＭＬを生成して送信することで、テレビと携帯電話に各々に対する所定の表示形式でメッセージが表示される。【選択図】図２
2010176394.tif 000002
【特許請求の範囲】
【請求項１】
電子掲示板システムであって、
ネットワークに接続され、装置を識別するための識別ＩＤを格納する識別ＩＤ格納部と、文字情報の入力を受け付ける第１の文字情報入力部と、該文字情報と前記識別ＩＤを前記ネットワークへ送信し前記ネットワークからの情報を受信する第１の通信処理部と、前記ネットワークから受信した情報を表示する第１の表示部を含むテレビジョン装置と、
前記ネットワークに接続され、文字情報入力を受け付ける第２の文字情報入力部と、該文字情報を前記ネットワークへ送信し前記ネットワークからの情報を受信する第２の通信処理部と、前記ネットワークから受信した情報を表示する第２の表示部を含む携帯情報端末装置と、
前記ネットワークに接続され、情報を格納するデータベース格納部と、前記テレビジョン装置から送信された前記識別ＩＤにより前記テレビジョン装置を識別し接続の可否を決定する機能、および前記携帯情報端末装置からアクセスに対するログイン機能、および前記データベース格納部から前記情報を読出し或いは書き込む機能を有するアプリケーションサーバ部と、前記テレビジョン装置が前記第１の表示部に前記情報を映像表示するためのＨＴＭＬと前記携帯情報端末装置が前記第２の表示部に情報を映像表示するためのＨＴＭＬを格納し、これに基づき前記アプリケーションサーバ部が読出した前記情報のＨＴＭＬを生成するウェブサーバ部と、該ウェブサーバ部が生成した前記情報のＨＴＭＬを前記ネットワークへ送信し前記ネットワークからの情報を受信する第３の通信処理部を含むサーバ装置を有し、
前記テレビジョン装置は前記サーバ装置のアプリケーションサーバ部により前記サーバ装置への接続が認められた場合には、前記ネットワークから受信した情報を前記第１の表示部に表示し、前記携帯端末装置は前記サーバ装置のアプリケーションサーバ部においてログインが認められた場合には、前記ネットワークから受信した情報を前記第２の表示部に表示することを特徴とする電子掲示板システム。
【請求項２】
請求項１に記載の電子掲示板システムにおいて、前記テレビジョン装置の識別ＩＤに対して複数のパスワードが与えられており、前記携帯情報端末装置は前記複数のパスワードのいずれか一つを与えられており、該パスワードに基づき前記サーバ装置のアプリケーションサーバ部におけるログインを行うことを特徴とする電子掲示板システム。
【請求項３】
請求項１に記載の電子掲示板システムにおいて、前記テレビジョン装置の第１の表示部および前記携帯情報端末装置の第２の表示部には、前記テレビジョン装置の識別ＩＤに関わる全ての情報が表示されることを特徴とする電子掲示板システム。
【請求項４】
請求項１に記載の電子掲示板システムにおいて、前記テレビジョン装置の第１の表示部ないし前記携帯情報端末装置の第２の表示部には、前記サーバ装置のデータベース格納部に格納された前記テレビジョン装置の識別ＩＤに関わる情報が更新された場合には、更新された旨を知らしめる表示を行うことを特徴とする電子掲示板システム。
【請求項５】
請求項１に記載の電子掲示板システムにおいて、前記サーバ装置のアプリケーションサーバ部は受信した前記識別ＩＤに基づき、前記データベース格納部から前記情報を読出し或いは書き込むことを特徴とする電子掲示板システム。
【請求項６】
請求項２に記載の電子掲示板システムにおいて、前記サーバ装置のアプリケーションサーバ部は受信した前記パスワードに基づき、前記データベース格納部から前記情報を読出し或いは書き込むことを特徴とする電子掲示板システム。
【請求項７】
複数のユーザの間で情報を交換するための電子掲示板システムの端末装置であって、
ネットワークを介して情報を格納したサーバ装置に接続され、
装置を識別するための識別ＩＤを格納する識別ＩＤ格納部と、
ユーザによる文字情報の入力を受け付ける文字情報入力部と、
該文字情報と前記識別ＩＤを前記ネットワークへ送信し前記ネットワークからの情報を受信する通信処理部と、
前記ネットワークから受信した情報を表示する表示部を有し、
前記送信した識別ＩＤに関わる情報を前記サーバ装置から受信し、前記表示部へ表示することを特徴とする電子掲示板システムの端末装置。
【請求項８】
請求項７に記載の電子掲示板システムの端末装置において、前記サーバ装置のデータベース格納部に格納された前記テレビジョン装置の識別ＩＤに関わる情報が更新された場合には、前記表示部には更新された旨を知らしめる表示を行うことを特徴とする電子掲示板システムの端末装置。
【請求項９】
複数のユーザの間で情報を交換するための電子掲示板システムのサーバ装置であって、
ネットワークに接続され、
情報を格納するデータベース格納部と、
前記ネットワークを介して接続された装置から送信された該装置の識別ＩＤに基づきアクセスの可否を決定する機能、および前記データベース格納部から前記情報を読出し或いは更新する機能を有するアプリケーションサーバ部と、
前記ネットワークを介して接続された装置が前記情報を映像表示するためのＨＴＭＬを格納しこれに基づき前記アプリケーションサーバ部が読出した前記情報のＨＴＭＬを生成するウェブサーバ部と、
該ウェブサーバ部が生成した前記情報のＨＴＭＬを前記ネットワークへ送信し前記ネットワークからの情報を受信する通信処理部を有し、
前記ネットワークを介して接続された装置から送信された識別ＩＤに関わる前記情報のＨＴＭＬを前記ネットワークへ送信することを特徴とする電子掲示板システムのサーバ装置。
【発明の詳細な説明】
【技術分野】
【０００１】
本発明は電子掲示板システム、電子掲示板システムの端末装置、および電子掲示板システムのサーバ装置に係わり、特に操作が簡単でユーザが離れていても情報共有できる電子掲示板システム、電子掲示板システムの端末装置、および電子掲示板システムのサーバ装置に関するものである。
【背景技術】
【０００２】
ＰＣ（Personal Computer）、携帯電話をはじめとする携帯情報端末を利用した情報システムの分野では、メールやインタネット上の掲示板を利用した情報共有の仕組みが構築されている。
またテレビジョン装置にＰＣ機能を取り込むことで、双方が関連する新たな機能を開発する動きもある。たとえば特許文献１においては、視聴者がテレビ番組とインタネット上のウェブページの連携付けをし、簡単にウェブページにアクセスする技術が開示されている。特許文献２においては、ＰＣの操作に不馴れな人であっても自由に使えるよう、手書き用ペンでメッセージを入力できる電子掲示板システムが開示されている。
【先行技術文献】
【特許文献】
【０００３】
【特許文献１】特開２００６−４１８５６号公報
【特許文献２】特開２００４−３３６４７９号公報
【発明の概要】
【発明が解決しようとする課題】
【０００４】
一般家庭内では情報共有の方法として、コルクボードを掲示板とし、これにメモ書きした紙を取付けることなどが以前から行われていた。この方法では在宅する者に対して情報を伝えることができるが、外出中の者には伝えることができない。
ＰＣを用いてインタネット上の掲示板に情報を書き込む方法では、小型のＰＣを持ち運べば外出先からも読み書きすることができるが、装置を起動するために時間を要する。またユーザ認証作業が必要であり、最初にサービスを利用する際のユーザ登録をはじめとする設定作業が煩雑なこともあって、不馴れな人には使いにくい点もある。さらにＰＣの画面表示部は一般に小型で視野角が狭く、複数の人が同時に見るには必ずしも適当でない。
携帯電話のメールやサイト上の掲示板を利用する方法では、携帯電話を所持しない家族は利用することができないほか、表示画面はいっそう小さいために複数の人が同時に見るにはふさわしくない。
【０００５】
本発明の目的はこれらの課題に鑑み、操作が簡単でユーザが離れていても情報共有できる電子掲示板システム、電子掲示板システムの端末装置、および電子掲示板システムのサーバ装置を提供することにある。
【課題を解決するための手段】
【０００６】
上記目的を達成するため本発明は、複数のユーザの間で情報を交換するための電子掲示板システムであって、ネットワークと、該ネットワークに接続され、装置を識別するための識別ＩＤを格納する識別ＩＤ格納部と、ユーザが文字情報を入力する第１の文字情報入力部と、該文字情報と前記識別ＩＤを前記ネットワークへ送信し前記ネットワークからの情報を受信する第１の通信処理部と、前記ネットワークから受信した情報を表示する第１の表示部を含む少なくも一つのテレビジョン装置と、前記ネットワークに無線接続され、ユーザが文字情報を入力する第２の文字情報入力部と、該文字情報を前記ネットワークへ送信し前記ネットワークからの情報を受信する第２の通信処理部と、前記ネットワークから受信した情報を表示する第２の表示部を含む少なくも一つの携帯情報端末装置と、前記ネットワークに接続され、情報を格納するデータベース格納部と、前記テレビジョン装置が前記識別ＩＤを前記ネットワークへ送信した際に送信したテレビジョン装置を識別し接続の可否を決定する機能、および前記携帯情報端末装置からアクセスされた際のログイン機能、および前記データベース格納部から前記情報を読出し或いは書き込む機能を有するアプリケーションサーバ部と、前記テレビジョン装置が前記第１の表示部に前記情報を映像表示するためのＨＴＭＬと前記携帯情報端末装置が前記第２の表示部に情報を映像表示するためのＨＴＭＬを格納し、これに基づき前記アプリケーションサーバ部が読出した前記情報のＨＴＭＬを生成するウェブサーバ部と、該ウェブサーバ部が生成した前記情報のＨＴＭＬを前記ネットワークへ送信し前記ネットワークからの情報を受信する第３の通信処理部を含むサーバ装置を有し、前記テレビジョン装置は前記サーバ装置のアプリケーションサーバ部により前記サーバ装置への接続が認められた場合には、前記ネットワークから受信した情報を前記第１の表示部に表示してユーザが前記情報を閲覧ないし更新し、前記携帯端末装置は前記サーバ装置のアプリケーションサーバ部においてログインが認められた場合には、前記ネットワークから受信した情報を前記第２の表示部に表示してユーザが前記情報を閲覧ないし更新することを特徴としている。
【０００７】
また本発明は、複数のユーザの間で情報を交換するための電子掲示板システムの端末装置であって、ネットワークを介して情報を格納したサーバ装置に接続され、装置を識別するための識別ＩＤを格納する識別ＩＤ格納部と、ユーザが文字情報を入力する文字情報入力部と、該文字情報と前記識別ＩＤを前記ネットワークへ送信し前記ネットワークからの情報を受信する通信処理部と、前記ネットワークから受信した情報を表示する表示部を有し、前記送信した識別ＩＤに関わる情報を前記サーバ装置から受信し、前記表示部へ表示することを特徴としている。
【０００８】
また本発明は、複数のユーザの間で情報を交換するための電子掲示板システムのサーバ装置であって、ネットワークに接続され、情報を格納するデータベース格納部と、前記ネットワークを介して接続された装置から送信された該装置の識別ＩＤに基づきアクセスの可否を決定する機能、および前記データベース格納部から前記情報を読出し或いは更新する機能を有するアプリケーションサーバ部と、前記ネットワークを介して接続された装置が前記情報を映像表示するためのＨＴＭＬを格納しこれに基づき前記アプリケーションサーバ部が読出した前記情報のＨＴＭＬを生成するウェブサーバ部と、該ウェブサーバ部が生成した前記情報のＨＴＭＬを前記ネットワークへ送信し前記ネットワークからの情報を受信する通信処理部を有し、前記ネットワークを介して接続された装置から送信された識別ＩＤに関わる前記情報のＨＴＭＬを前記ネットワークへ送信することを特徴としている。
【発明の効果】
【０００９】
本発明によれば、操作が簡単でユーザが離れていても情報共有できる電子掲示板システム、電子掲示板システムの端末装置、および電子掲示板システムのサーバ装置を実現でき、ユーザに使い勝手の良い電子掲示板を提供できるという効果がある。
【００１０】
また本発明の一実施形態においては、前記端末装置の一つとして用いるテレビジョン装置に対して識別ＩＤ（Identification）を与えることで、該識別ＩＤに応じた専用サービスを供給する電子掲示板システム、電子掲示板システムの端末装置、および電子掲示板システムのサーバ装置を提供できるという効果もある。
【図面の簡単な説明】
【００１１】
【図１】一実施例を示す電子掲示板システムのブロック図である。
【図２】一実施例を示す電子掲示板システムのデータのフロー図である。
【図３】一実施例におけるメッセージが伴う情報を示す図である。
【図４】一実施例におけるデータベース情報を示す図である。
【図５】一実施例を示すテレビジョン装置のブロック図である。
【図６】一実施例を示す携帯電話装置のブロック図である。
【図７】一実施例を示すサーバ装置のブロック図である。
【図８】一実施例を示すウェブサーバ部のブロック図である。
【図９】一実施例を示すアプリケーションサーバ部のブロック図である。
【図１０】一実施例を示すデータベース格納部のブロック図である。
【図１１】一実施例を示すテレビジョン装置における設定方法のフロー図である。
【図１２】一実施例を示すテレビジョン装置のメッセージ表示と編集のフロー図である。
【図１３】一実施例を示す携帯電話装置のメッセージ編集のフロー図である。
【図１４】一実施例における識別ＩＤの表示画面を示す図である。
【図１５】一実施例におけるテレビジョン装置の初期設定画面を示す図である。
【図１６】一実施例におけるテレビジョン装置のメッセージボードの初期画面を示す図である。
【図１７】一実施例におけるテレビジョン装置のメッセージ編集の画面を示す図である。
【図１８】一実施例におけるテレビジョン装置のメッセージ編集後の画面を示す図である。
【図１９】一実施例におけるテレビジョン装置のメッセージボード編集後の画面を示す図である。
【図２０】一実施例における携帯電話装置のログイン画面を示す図である。
【図２１】一実施例における携帯電話装置のメッセージボードの画面を示す図である。
【図２２】一実施例における携帯電話装置のメッセージ編集の画面を示す図である。
【図２３】一実施例における携帯電話装置のメッセージ編集後の画面を示す図である。
【図２４】一実施例における携帯電話装置のメッセージボード編集後の画面を示す図である。
【図２５】一実施例における携帯電話装置のメッセージボード編集後におけるテレビジョン装置のメッセージボードの画面を示す図である。
【図２６】他の一実施例における携帯電話装置のメッセージ編集の画面を示す図である。
【図２７】他の一実施例における携帯電話装置のメッセージ編集後の画面を示す図である。
【図２８】他の一実施例における携帯電話装置のメッセージボード編集後の画面を示す図である。
【図２９】他の一実施例における携帯電話装置のメッセージボード編集後におけるテレビジョン装置のメッセージボードの画面を示す図である。
【図３０】別な一実施例を示すテレビジョン装置のブロック図である。
【図３１】別な一実施例におけるテレビジョン装置の表示画面を示す図である。
【図３２】別な一実施例におけるテレビジョン装置の表示方法を示す図である。
【図３３】別な一実施例を示すテレビジョン装置の表示処理のフロー図である。
【発明を実施するための形態】
【００１２】
以下、実施形態について図面を用いながら説明する。
図１は一実施例を示す電子掲示板システムのブロック図である。まずこれに基づきその動作を説明する。
【００１３】
図１において１１は、テレビＡ（１１０）を共用して使用する家庭ないし団体などの情報端末群Ａを示し、テレビＡ（１１０）のほか一つないし複数の携帯電話Ａ−１〜Ａ−Ｎ（１１１〜１１Ｎ）を含んでいる。１２は別の家庭ないし団体などが所有する情報端末Ｂであって、テレビＢ（１２０）、携帯電話Ｂ−１〜Ｂ−Ｎ（１２１〜１２Ｎ）を含んでいる。テレビＡ（１１０）とテレビＢ（１２０）はインタネットのネットワーク（以下、インタネットと略記する）２１を介してサーバ装置３１と接続されており、サーバ装置３１との間で情報の送信と受信を行うようにしている。携帯電話Ａ−１〜Ａ−Ｎ（１１１〜１１Ｎ）と携帯電話Ｂ−１〜Ｂ−Ｎ（１２１〜１２Ｎ）は携帯電話基地局２０１とインタネット２１を介してサーバ装置３１と接続されており、やはりサーバ装置３１との間で情報の送信と受信を行うようにしている。なお、１１１〜１１Ｎ，１２１〜１２Ｎは携帯電話と記したが、これは一例であって、ＰＤＡ（Personal Digital Assistants）や携帯用ＰＣなど個人が外出時に持ち運ぶ携帯情報端末装置であれば、いずれであっても良い。その台数についても制限はせず、最小で１台でも機能できるが、各家庭や団体の構成人員分があると便利である。テレビジョン装置も一つの情報端末群に複数台あっても良いが、ここでは一例として１台の場合を述べる。
【００１４】
携帯電話Ａ−１〜Ａ−Ｎ（１１１〜１１Ｎ）、Ｂ−１〜Ｂ−Ｎ（１２１〜１２Ｎ）は携帯電話基地局２０１に対して無線で接続されるが（図中では破線で示す）、テレビＡ（１１０）、テレビＢ（１２０）とインタネット２１、サーバ装置３１とインタネット２１、携帯電話基地局２０１とインタネット２１は、有線ないし無線のいずれか、あるいはその双方で接続されても良い（図中では実線で示す）。また、携帯電話基地局２０１は図面の煩雑化を防ぐために１個のみ示したが、これは図示した全ての携帯電話が同じ基地局と接続されるような近距離にあることを前提にするものではない。周知のとおり、各携帯電話が移動するに伴い異なる携帯電話基地局に接続されるものであり、実際には多数の基地局が配置されている。
【００１５】
サーバ装置３１は後記するように、情報端末群Ａ（１１）、情報端末群Ｂ（１２）から送られたメッセージデータを、ウェブサーバ部３１３やアプリケーションサーバ部３１２を介してデータベース格納部３１１に格納している。これは情報端末群ごとに区分して管理されており、たとえば情報端末群Ａ（１１）に対してはメッセージデータ格納部３１１Ａ１が、情報端末群Ｂ（１２）に対してはメッセージデータ格納部３１１Ｂ１が備えられている。これにより誤って他の家庭や団体に対してメッセージが送受信されないようにしている。なお、図中では３１１Ａ１、３１１Ｂ１につきテレビＡ用ないしテレビＢ用メッセージデータと記しているが、これは情報端末群Ａ（１１）ないし情報端末群Ｂ（１２）において中核となる装置がテレビＡ（１１０）ないしテレビＢ（１２０）であるために記載したものであり、たとえばテレビＡ用メッセージデータ格納部３１１Ａ１はテレビＡ（１１０）はもちろん、携帯電話Ａ−１〜Ａ−Ｎ（１１１〜１１Ｎ）からも利用できるようにしている。
【００１６】
ここではサーバ装置３１に格納されたメッセージデータを、テレビと携帯電話の双方から書込み（以下、作成、編集、更新と称することもある）、読取り（以下、閲覧と称することもある）ないし書替え（以下、編集、更新と称することもある）できるようにして、電子掲示板システムを構築している。また携帯電話は元来がパーソナルユースであるために、画像表示部が小型であって多数の人が同時に見るには必ずしも適さないが、ここではテレビを中核の装置としており、現在では３０型以上の大きな画像表示部を持つものが多いので、多数の人が同時に複数のメッセージ情報を見る場合にも適している。本実施例では、このようにテレビをメッセージ表示するための中心的な装置として利用した電子掲示板システムであることを、一つの特徴としている。
【００１７】
なお、情報端末群は図示した１１と１２の二つとするものではなく、さらに多数が備えられても良く、またいずれか一つしかなくとも良いことは言うまでもない。サーバ装置３１も一つに限らず複数あることも考えられるし、それらが別なネットワークを介して同時に、ある情報端末群と接続されることもある。いずれの場合も本実施例の範疇にある。
【００１８】
次に図２を用いて、さらに詳しく動作を説明する。図２は一実施例を示す電子掲示板システムのデータのフロー図である。矢印がデータのフローを示している。図１に対して図２は、テレビと携帯電話を各１台のみ示し、インタネット２１を図示せず、代わりに各構成要素の内部を詳しく示した点が異なっている。したがい、一台のテレビＡ（１１０）、一台の携帯電話Ａ−１（１１１）とサーバ３１の情報データの送受信を示している。当然ながら他のテレビや携帯電話も同様である。
テレビＡ（１１０）はメモリなどの格納部に、そのテレビに固有の識別ＩＤ（１１００２Ｉ）を格納している。これは装置の製造番号であっても良く、これとは別にサーバ装置３１との送受信をするうえで相応しい番号や記号で定めても良い。後記するようにサーバ装置３１において、電子掲示板システムに対応したテレビであることが分かり、かつ当該テレビ固有のものであれば良い。テレビの製造ないし購入後初めてインタネット２１に接続された際に、これはサーバ装置３１のテレビ識別ＩＤ確認部３１２１に自動的に送信され、これに基づき電子掲示板システムに対応したテレビであると認証された場合には、データベース格納部３１１においてテレビＡ用のデータ格納部３１１Ａが設けられ、以後メッセージデータ格納部３１１Ａ１に対しテレビＡ（１１０）や携帯電話Ａ−１（１１１）から掲示板に記載するメッセージの書込み、読取り、書替えが可能になる。また、データ格納部３１１Ａには前記識別ＩＤの格納部３１１Ａ２が設けられる。なお、識別ＩＤの格納部３１１Ａ２については、予めデータベース格納部３１１のいずれかの場所に設けておき、テレビから初めてアクセスされ認証した際に、テレビＡ用のデータ格納部３１１Ａを設け、ここに識別ＩＤの格納部３１１Ａ２を移動、ないし複製しても良い。
【００１９】
以後、テレビＡ（１１０）が起動された場合には、改めて前記固有の識別ＩＤを自動的にサーバ装置３１へ送ることにより、特別な操作を要することなく、サーバ装置３１へ自動ログインができるようになる。この際サーバ装置３１は、受信した識別ＩＤが識別ＩＤの格納部３１１Ａ２に格納された識別ＩＤと一致することをもって、テレビＡ用のデータ格納部３１１Ａを特定する。そしてメッセージデータ処理部３１２３Ａはデータ格納部３１１Ａに格納されたメッセージデータを読出し、テレビ用メッセージボードＨＴＭＬ処理部３１３１でメッセージデータに基づくＨＴＭＬ（HyperText Markup Language）を生成して、テレビＡ（１１０）に送信することにより、表示部１１００１に各メッセージが表示される。表示部１１００１は前記したように一般に大型のため、多くのメッセージを表示可能であり、複数の人が同時に閲覧することが可能である。必要に応じていくつかのメッセージを更新し、新しい情報を掲示することもできる。またテレビＡ（１１０）からデータ格納部３１１Ａへメッセージデータを書込み、ないし書替える場合には、テレビＡ（１１０）から送られた書込み、ないし書替え後のＨＴＭＬをテレビ用メッセージボードＨＴＭＬ処理部３１３１で処理して格納用のデータを取り出し、メッセージデータ処理部３１２３Ａを介してデータ格納部３１１Ａに格納する。
【００２０】
このように前記識別ＩＤを格納するだけでテレビからサーバへ自動ログインし、メッセージを書込み、読出し、書替えることができるため、特別なログイン操作は不要である。このため最近の情報機器の操作に不馴れな人でも簡単に使用でき、使い勝手の良い電子掲示板システムを構築することができることが、本電子掲示板システムの特徴の一つとなっている。
【００２１】
なお、データベース格納部３１１にはブラックリスト情報を格納し、これに記載された装置の識別ＩＤを受信した場合には、接続を拒否しても良い。これにより情報のセキュリティを向上することができる。
【００２２】
さらに後記するように、テレビＡ（１１０）と同じ情報端末群１１に属する携帯電話１１１〜１１Ｎの各々に対してユーザが与えたパスワードが、携帯電話ログイン情報格納部３１１Ａ３に格納される。以後、携帯電話１１１〜１１Ｎのユーザはサーバ装置３１に対して、携帯電話１１１〜１１Ｎの各々に与えたパスワードとテレビの識別ＩＤを用いてログインすることができる。たとえば携帯電話Ａ−１（１１１）からサーバ装置３１にログインする際にユーザは、携帯電話ログインＨＴＭＬ処理部３１３３から受信したログイン用画面にテレビの識別ＩＤとパスワードを入力して送信する。携帯電話ログインＨＴＭＬ処理部３１３３で受信し取り出されたパスワードとテレビの識別ＩＤは、ログイン認証部３１２２に与えられる。ログイン認証部３１２２は、識別ＩＤを格納したテレビ識別ＩＤ格納部３１１Ａ２を捜し、当該パスワードを格納した携帯電話ログイン情報格納部３１１Ａ３を捜す。これにより情報端末群１１に属する携帯電話と判定できれば、メッセージデータ処理部３１２３Ｂはデータ格納部３１１Ａに格納されたメッセージデータを読出し、携帯電話用メッセージボードＨＴＭＬ処理部３１３２でメッセージデータに基づくＨＴＭＬを生成して、携帯電話Ａ−１（１１１）に送信することにより、表示部１１１０１に各メッセージが表示される。表示部１１１０１は前記したように比較的小型であるので、一度に表示するメッセージを一つないし少数とし、スクロールやページ変更することで全てのメッセージを見られるようにしても良い。
【００２３】
もちろんデータ格納部３１１Ａに対するメッセージの書込みや書替えも、メッセージデータ処理部３１２３Ｂと携帯電話用メッセージボードＨＴＭＬ処理部３１３２を用いてテレビＡ（１１０）と同様に行うことができる。
このようにして在宅者は外出中の者と、また外出中の者同士でも情報を共有することができる電子掲示板システムを構築することができる。
なお、テレビ識別ＩＤ確認部３１２１、ログイン認証部３１２２、メッセージデータ処理部３１２３Ａ，３１２３Ｂ、テレビ用メッセージボードＨＴＭＬ処理部３１３１、携帯電話用メッセージボードＨＴＭＬ処理部３１３２、携帯電話用ログインＨＴＭＬ処理部３１３３は、実際にはソフトウェア処理で行われることが多く、そのためのプログラムがメモリに格納された形で備えられている。ただし、各処理を行う処理部として集積回路化するなどしてハードウェアで実現することもできる。
【００２４】
次に図３に基づき、表示するメッセージの内容について一例を示す。図３はメッセージが伴う情報を示す図である。
ここに示すとおり一つのメッセージを表示する際は、電子掲示板の性格から判断して、ユーザが作成したメッセージ情報そのもののほか、少なくも入力者名と入力日時を表示する必要がある。このうち入力日時はサーバ装置３１で自動的に登録することができる。またサーバ装置３１で入力日時を、入力者名やメッセージ情報とともにテレビないし携帯電話から受信して登録することもできる。
【００２５】
次に図４を用いて、サーバ装置３１におけるデータベースについて説明する。図４はデータベース情報を示す図であり、うち（ａ）はテレビ、（ｂ）は携帯電話、（ｃ）はメッセージ情報に関するデータベース情報である。ここでは一つの情報端末群１１に関するデータベース情報３１１Ａの中身を示している。
なお実施例においては、電子掲示板に対してテレビＡ（１１０）でメッセージ情報を作成、閲覧、更新することを特徴としているため、携帯電話で該当する操作を行う者をサブユーザと呼ぶ場合がある。
まず、図４（ａ）にあるようにテレビ情報については、基本的には前記した識別ＩＤ（３１１Ａ２）があれば良い。前記したとおり、これは初期設定時に図２のサーバ装置３１のテレビ識別ＩＤ格納部３１１Ａ２に格納される。
図４（ｂ）にあるように携帯電話を使用するサブユーザ情報には、パスワードとサブユーザ名がある。パスワードは、同じ情報端末群におけるテレビの一つの識別ＩＤに対して複数個与えることができ、基本的には各携帯電話を使用する各サブユーザは固有のものを１個ずつ使用する。このため図中では一つの行に、一つのパスワードとこれを使用するサブユーザ名が対応して管理されている。格納するサブユーザ名については、図示したように“サブユーザ名ａ”などのほか、サブユーザの本名やニックネームを用いても良い。パスワードとサブユーザ名は後記するように、初期設定時にテレビのユーザないし携帯電話のサブユーザが、テレビから入力するものであり、図２のサーバ装置３１の携帯電話ログイン情報格納部３１１Ａ３に格納される。このうちパスワードはサーバ装置にアクセスする際に、前記テレビにおける識別ＩＤに相当する働きをする。ここではサブユーザが５名の場合で説明する。
【００２６】
図４（ｃ）にあるように各メッセージ情報に対しては、入力者名、入力した日時とメッセージそのものが格納されている。これらの情報は図２のメッセージデータ格納部３１１Ａ１に格納される。なお、携帯電話から入力した場合には入力者名は図４（ｂ）のサブユーザ名となるが、テレビから入力した場合には、入力者名を自動的に与えることで送信する際の操作を簡単にしている。この場合はたとえば“テレビ”が入力者名とされる。
【００２７】
一度書き込まれたメッセージは書き込んだ本人、ないし同じ情報端末群に属する他者により書替えることができる。後に詳しく説明するように、仮にテレビＡ（１１０）の表示部１１００１にメッセージを示すためのメッセージボードを５つ表示する場合、テレビメッセージボードＨＴＭＬ処理部３１３１は、たとえば１番目のメッセージボードには図４（ｃ）のメッセージ情報１の情報が表示されるようにする。新しいメッセージが書き込まれるごとに、図４（ｃ）の上側に新たなメッセージ情報の行が追加される。図４（ｃ）では一例として、１番目と２番目のメッセージボードに表示されるメッセージについては、二つのメッセージ情報の行がある場合を示している。図中で＊印を付した方が、そのメッセージボードに関する最新の情報となり、サーバ装置は格納したメッセージ情報をテレビや携帯電話に送信する場合には、この最新の情報を読取って送信する。
【００２８】
図中のメッセージ情報１に関して説明すれば、まずテレビから入力日時１−１に書き込まれたメッセージ１−１がその後、入力日時１にサブユーザ名ａの用いる携帯電話から、メッセージ１に書替えられたことを示している。このため書替えられた後、メッセージそのものはもちろん、入力者名や入力日時も書替えられた後のものが表示部１１００１、１１１０１に表示される。また、メッセージ情報２に関しては、最初に書き込んだサブユーザ名ｂがその後、自分自身で書替えた場合を示している。このように最新の情報が表示されることで、電子掲示板システムによる情報交換を可能にしている。なお、図中で＊印のついていない方のメッセージ１−１と２−１は過去ログとなるが、保存が不要な場合はサーバ装置３１の判断で消去しても良い。
【００２９】
次に図５を用いて、テレビジョン装置１１０の基本構成について説明する。図５はテレビジョン装置のブロック図である。表示部１１００１と識別ＩＤ１１００２Ｉは、図２で示したものに対応するため同じ番号を付している。
まずテレビ放送の受信経路について述べる。アンテナ１１００５で受信された放送電波からテレビチューナ１１００６でユーザの希望するチャネルの信号が選択され、バス制御部１１００４を経て、表示部１１００１でＲＧＢ信号など表示に適した信号に変換されて映像表示される。もちろん無線で伝播される放送電波でなく、有線で伝播されるケーブルテレビ放送を受信して映像表示しても良い。ＣＰＵ（Central Processing Unit）１１００９はバス制御部１１００４を用いて、全体の信号処理の動作を制御している。
【００３０】
次に先のインタネット２１を用いる送受信経路について述べる。通信処理部１１００３は、インタネット２１との間で情報の送受信を行う。この経路を用いて、ＩＰＴＶ（Internet Protocol Television）を受信することもできるが、ここでは本電子掲示板に関する事項を述べる。
前記したように初めてテレビＡ（１１０）がネットワークに接続された場合、またそれ以後であってもテレビＡ（１１０）を立ち上げた際には、メモリ部１１００２Ｍの含む識別ＩＤ（１１００２Ｉ）をインタネット２１経由でサーバ装置３１へ送信する。送信先のサーバ装置３１のＵＲＬ（Uniform Resource Locator）は、メモリ部１１００２Ｍに予め格納されている。またサーバ装置３１からメッセージ情報を受信した場合には、同じく通信処理部１１００３は受信したメッセージ情報をバス制御部１１００４へ与える。さらにこの情報はメモリ部１１００２Ｍの含むブラウザプログラム１１００２Bにより、サーバ装置から送られたＨＴＭＬに基づいて表示部１１１０１へ供給されてここに表示される。ユーザはメッセージ情報の作成、閲覧や更新をすることができる。メッセージの作成や更新をする場合には、たとえばユーザがリモコン１１００７Ａの操作ボタンを操作することで発生されたメッセージ作成ないし更新用の文字情報が、リモコン受光部１１００７から文字入力処理部１１００８へ入力され、バス制御部１１００４でブラウザプログラム１１００２Ｂを用いて、サーバ装置３１から送られたＨＴＭＬに基づく表示画面に対して文字入力され、通信処理部１１００３、インタネット２１を介してサーバ装置３１へ送信される。
なお、時計部１１０１０からの時刻情報を用いて、メッセージを作成ないし更新した時の日時を与えることもできる。
【００３１】
次に図６を用いて、携帯電話１１１の基本構成について説明する。図６は携帯電話のブロック図である。
通信処理部１１１０３は、アンテナ１１１０５、携帯電話基地局２０１を介してインタネット２１との間で情報を送受信する。携帯電話１１１と携帯電話基地局２０１の間は、通常の通話やメール送受信に使う無線通信経路と同じで良い。携帯電話基地局２０１ではアンテナ２０１０１で受信した情報を、携帯電話通信−インタネット変換部２０１０２を介してインタネット２１に送る。また通信処理部１１１０３は、インタネット２１より情報を受信する。これがたとえばＨＴＭＬである場合には、メモリ部１１１０２Ｍの含むブラウザプログラム１１１０２Bに基づき、受信したＨＴＭＬに応じた後記するような所定のフォーマットでメッセージ表示をするようにされ、表示部１１１０１へ供給されてここに表示される。ユーザはメッセージ情報の作成、閲覧や更新をすることができる。メッセージの作成や更新をする場合には、たとえばサブユーザがキー操作部１１１０８の操作ボタンを操作することで発生されたメッセージ作成ないし更新用の文字情報が入力され、通信処理部１１１０３、アンテナ１１１０５、携帯電話基地局２０１、インタネット２１を介してサーバ装置３１へ送信される。送信先のサーバ装置のＵＲＬを取得する方法については、一例を後に説明する。ＣＰＵを含む制御部１１１０９は、構成要素全体の動作を制御する。先のサーバ装置３１にアクセスする際は、サーバ装置から送られたＨＴＭＬに基づく表示画面に対して、操作パネルの押しボタンを含むキー操作部１１１０８からパスワードを入力してサーバ装置３１にログインし、メッセージ情報を受信した場合にはサーバ装置３１から送られたＨＴＭＬに基づいて表示部１１１０１へ表示する。さらにメッセージの作成や更新を行う場合には、サブユーザはキー操作部１１１０８から文字を入力し、ブラウザプログラム１１１０２Ｂでサーバ装置３１から送られたＨＴＭＬに基づく表示画面に対して文字入力したうえで、サーバ装置３１へ送信する。
【００３２】
次に図７を用いて、サーバ装置３１の基本構成について説明する。図７はサーバ装置のブロック図である。データベース格納部３１１、アプリケーションサーバ部３１２、ウェブサーバ部３１３は先に図２で示したものに対応するため、同じ番号を付している。
通信処理部３１４はインタネット２１を介して情報の送受信を行う。データベース格納部３１１、アプリケーションサーバ部３１２、ウェブサーバ部３１３との間はＬＡＮ（Local Access Network）回線で接続されている。アプリケーションサーバ部３１２では、テレビＡ（１１０）からの前記識別ＩＤを受信した場合には、データベース格納部３１１を参照して接続の可否を決定し、初めての識別ＩＤを受信して接続する際は新しいメッセージ群を格納する箇所をデータベース３１１上に設定し、以前受信した識別ＩＤを再び受信して接続する際は識別ＩＤに基づき、たとえばメッセージ群３１１Ａを選択する。またアプリケーションサーバ部３１２は、前記携帯電話１１１からアクセスされた際のパスワードを用いたログイン機能を有する。またテレビＡ（１１０）や携帯電話１１１などからのユーザの要求に応じて、前記データベース格納部３１１へ前記メッセージ情報を新たに書込み、あるいはこれより読出し、書替えを行う。メッセージ情報をインタネット２１に対して送受信する際は、前記したようにウェブサーバ部３１３は、送信先の装置で表示するためのＨＴＭＬに関わる処理を行う。
【００３３】
次に図８を用いて、ウェブサーバ部３１３の基本構成について説明する。図８はウェブサーバ部のブロック図である。ハードディスク装置３１３０には、前記したテレビ用メッセージボードＨＴＭＬ処理部３１３１で用いるテレビ用ＨＴＭＬ（３１３１Ｈ）、携帯電話用メッセージボードＨＴＭＬ処理部３１３２で用いる携帯電話用ＨＴＭＬ（３１３２Ｈ）が格納されている。またさらにテレビ用ＵＲＬ（３１３１Ｕ）、携帯電話用ＵＲＬ（３１３２Ｕ）を格納し、ＵＲＬを用いた情報の送受信を可能にした例を示している。これらのＵＲＬは個々のテレビや携帯電話から最初にアクセスを受けた際に、格納すると良い。ＣＰＵ３１３７はバス制御部３１３４を用いて全体の信号処理の動作を制御し、前記したようなＨＴＭＬに関わる処理も行っている。全体は通信処理部３１３５を介してＬＡＮ回線と接続されている。
【００３４】
なお、テレビ用ＨＴＭＬ（３１３１Ｈ）や携帯電話用ＨＴＭＬ（３１３２Ｈ）は多くの場合、ソフトウェアで構成されている。これらをウェブサーバ３１３に有することにより、テレビや携帯電話での電子掲示板の表示画面を生成している。このためテレビや携帯電話では、この表示画面を生成するための構成要素を持つ必要はなく、電子掲示板の機能のためにこれらの端末装置が高価格となることを防ぐ効果がある。
【００３５】
次に図９を用いて、アプリケーションサーバ部３１２の基本構成について説明する。図９はアプリケーションサーバ部のブロック図である。ハードディスク装置３１２０には、前記したメッセージデータ処理部３１２３Ａ、３１２３Ｂで送受信されるメッセージデータをデータベース格納部３１１から取り出しないし格納するためのメッセージボードプログラム３１２３Ｐ、テレビ識別ＩＤ確認部３１２１でテレビの認証を行うためのテレビ認証プログラム３１２１Ｐ、ログイン認証部３１２２で携帯電話のログイン認証を行うための携帯電話ログイン認証プログラム３１２２Ｐが格納されている。ＣＰＵ３１２７はバス制御部３１２４を用いて全体の信号処理の動作を制御し、前記したような認証やメッセージデータの取り出しや格納を行っている。全体は通信処理部３１２５を介してＬＡＮ回線と接続されている。なお、前記した図４（ｃ）の入力日時を自動的に格納するため、時計部３１２６を備えている。
【００３６】
次に図１０を用いて、データベース格納部３１１の基本構成について説明する。図１０はデータベース格納部のブロック図である。メッセージデータを格納するためにハードディスク装置３１１３Ａと３１１３Ｂを有しているが、もちろんこれは一例であって、その数を限定するものではない。ＲＡＩＤ（Redundant Arrays of Independent Disks）制御部３１１４により、これらのハードディスク装置は仮想的に一つの大容量メモリとして機能するように制御され、前記したメッセージデータの書込みと読出しを行っている。全体は通信処理部３１１５を介してＬＡＮ回線と接続されている。
【００３７】
次に図１１、図１４、図１５を用いて、サーバ装置でのテレビの認証方法と、テレビでの設定方法について詳しく説明する。図１１はテレビジョン装置における設定方法のフロー図である。図１４は識別ＩＤの表示画面を示す図である。図１５はテレビジョン装置の設定画面を示す図である。
【００３８】
まず図５のテレビＡ（１１０）は、ブラウザプログラム１１００２Ｂから、通信処理部１１００３を介してインタネット２１に接続し、図７のサーバ装置３１のウェブサーバ部３１３へ接続する。ブラウザプログラム１１００２Ｂはウェブサーバ部３１３に接続する際に、テレビの識別ＩＤ（１１００２Ｉ）をサーバ装置３１へ送信する。ウェブサーバ部３１３はアプリケーションサーバ部３１２のテレビ認証プログラム３１２１Ｐ（図９）に識別ＩＤを送る。
【００３９】
テレビ認証プログラム３１２１Ｐは、図１１のステップＳ１１０１で受信データに識別ＩＤが含まれているか、また含まれていた識別ＩＤがサービス対象のテレビの識別ＩＤとしてデータベース格納部３１１に登録されているか否かを判定し、これが含まれていない場合および電子掲示板サービスの対象として登録されていない場合には（図中のＮｏ）、ステップＳ１１０９でサービス対象外であることを示す表示を図８のテレビ用ＨＴＭＬ（３１３１Ｈ）で生成して、テレビＡ（１１０）に送信して表示部１１００１に表示し、フローを終了する。
【００４０】
ステップＳ１１０１での判定の結果、受信データに識別ＩＤが含まれており、かつこれがサービス対象のテレビのものとして登録されている場合には（図中のＹｅｓ）、電子掲示板サービスの対象のテレビとして認証し、アプリケーションサーバ部３１２のテレビ認証プログラム３１２１Ｐはウェブサーバ部３１３に、テレビＡ（１１０）への電子掲示板サービスの表示を許可する。なお認証に用いる識別ＩＤとしてテレビの機器ナンバーを用いる場合には、図１４で示すようにテレビの表示部において、テレビの機器ナンバーを表示するようにしても良い。
【００４１】
前記したようにこの識別ＩＤは、ユーザの手を煩わせることなく自動的にサーバ装置へ送信されるため、機器の扱いに不馴れなユーザであっても、簡単に電子掲示板システムを使用することができる。
【００４２】
次にステップＳ１１０２では、前記識別ＩＤを送信したテレビＡ（１１０）は、サーバ３１に対して初めてのアクセスであるなどの理由で、メッセージボードが未設定であるか否かを判定する。これはサーバ装置３１で、図２に示すテレビＡ用のデータ格納部３１１Ａの状態から容易に判定できる。
【００４３】
ステップＳ１１０２での判定の結果、メッセージボードが未設定である場合には（図中のＹｅｓ）、ステップＳ１１０３でウェブサーバ部３１３はアプリケーションサーバ部３１２のメッセージボードプログラム３１２３Ｐよりメッセージボード設定用のプログラムを読出し、これに基づきテレビ用ＨＴＭＬ（３１３１Ｈ）でＨＴＭＬを作成して、テレビＡ（１１０）のブラウザプログラム１１００２Ｂへ送信する。
【００４４】
これによりステップＳ１１０３において、テレビＡ（１１０）の表示部１１００１に表示されるメッセージボードサービス設定画面の一例を図１５に示す。メッセージボード設定画面ではメッセージボードサービスの有効／無効を選択するチェックボックス１５０１があり、テレビのユーザはサービスを利用する時には、図示したようにチェックボックスにチェックを入力する。さらにステップＳ１１０４において、携帯電話からアクセスするサブユーザごとに有効／無効チェックボックス１５０２と、パスワード入力ボックス１５０３と、サブユーザ名入力ボックス１５０４に所定の事項を入力する。パスワードに関しては英数字でも良く、英字か数字のみでも良いが、周囲にいる人に見られることは望ましくないため、図示したように文字数に応じた数の星印を表示しても良い。なお、図面の煩雑化を防ぐため、１５０２〜１５０４の各構成要素は内一つだけに番号を付している。もちろんサブユーザの数は、ここに示すような５名を上限とするものではない。またテレビからの所定の事項の入力には、図５のリモコン１１００７Ａを用いて行っても良く、また表示部１１００１にキーボードを表示してタッチパネル式の入力を行うなど、いくつかの方法が適用できる。さらには入力するのはチェックボックス１５０１、１５０２と１５０３だけとし、サブユーザ名はサーバ装置３１が与えたものを表示して、これをそのままサブユーザが使用することも考えられる。
【００４５】
入力を完了した後、画面上の登録ボタン１５０５をクリックする。これにより、設定した内容はアプリケーションサーバ部３１２のメッセージボードプログラム３１２３Ｐへ送られ、ステップＳ１１０５において、項目に未記載や文字数の制限違反などの問題があるか否かの確認を行い、問題ない場合は（図中のＹｅｓ）、ステップＳ１１０６で新しいデータ格納部３１１Ａが用意され、これにメッセージデータ格納部３１１Ａ１が設けられ、また携帯電話ログイン情報格納部３１１Ａ３が設けられてステップＳ１１０４で得たサブユーザ名とパスワードが格納され、またテレビ識別ＩＤ格納部３１１Ａ２が設けられて先の識別ＩＤが格納される。なお、データ格納部３１１Ａについては、先にステップＳ１１０１でテレビＡ（１１０）が認証を受けた際に（図中のＹｅｓ）、テレビ識別ＩＤ格納部３１１Ａ２のみを有した状態で設けて、ここに識別ＩＤを格納し、さらにステップＳ１１０６で同じデータ格納部３１１Ａにメッセージデータ格納部３１１Ａ１と携帯電話ログイン情報格納部３１１Ａ３を追加して設けても良い。ステップＳ１１０５において問題がある場合には（図中のＮｏ）、ウェブサーバ部３１３にエラー送り、テレビ用ＨＴＭＬ（３１３１Ｈ）はエラーをテレビのブラウザプログラム１１００２Ｂに送信し、ステップＳ１１０７でブラウザプログラム１１００２Ｂが表示部１１００１にエラーを表示した後にステップＳ１１０４へ戻り、再度正しい入力を促す。
【００４６】
その後、先にステップＳ１１０２でメッセージボードが設定済と判定された場合も含め、ステップＳ１１０８ではテレビの表示部１１００１にメッセージボードの画面が表示され、これをユーザが編集することが可能になる。
なお、図１５の斜線部は二次元バーコード表示部１５０６を示しているが、これの使用方法については後で述べる。
【００４７】
次にこのメッセージボードの画面の表示と編集方法につき、図１２、図１６〜図１９を用いて説明する。図１２はテレビジョン装置のメッセージ表示と編集のフロー図、図１６はテレビジョン装置のメッセージボードの初期画面を示す図、図１７はテレビジョン装置のメッセージ編集の画面を示す図、図１８はテレビジョン装置のメッセージ編集後の画面を示す図、図１９はテレビジョン装置のメッセージボード編集後の画面を示す図である。
【００４８】
図１２は使用するテレビに対して、メッセージボードが設定済の場合を示している。これが未設定の時には図１１で説明したフローを経るが、この場合は図１１のステップＳ１１０８に到った後に、図１２のステップＳ１２０３以下のフローを行う。
【００４９】
ステップＳ１２０１では、テレビＡ（１１０）の電源が投入されてサーバ装置３１にテレビ識別ＩＤが送信されると、サーバ装置３１のアプリケーションサーバ部３１２のテレビ認証プログラム３１２１Ｐは、テレビＡ（１１０）より受信したこのテレビ識別ＩＤを読取る。ステップＳ１２０２では、メッセージデータ処理部３１２３Ａはこの識別ＩＤに基づき、これがテレビ識別情報格納部３１１Ａ２に格納されているテレビＡ用のデータ格納部３１１Ａのデータを、データベース格納部３１１より読出す。これに基づきウェブサーバ部３１３は、テレビ用ＨＴＭＬ（３１３１Ｈ）に基づいたＨＴＭＬを生成して、テレビＡ（１１０）のブラウザプログラム１１００２Ｂへ送信する。これによりテレビ用ＨＴＭＬ（３１３１Ｈ）で生成されたメッセージボードが、テレビＡ（１１０）の表示部１１００１に表示される。
【００５０】
次にメッセージボードに対するメッセージデータの表示方法について説明する。まず図１６はメッセージボードに何も書き込まれていない段階の、表示部１１００１における表示画面の一例である。図中の破線内の領域１６０１に５つのメッセージボードがある例を示し、内これからメッセージを書き込む第１のメッセージボードを１６０２で示している。もちろん、メッセージボードの数を５つと限定するものではないし、最初に書き込むメッセージボードとしてたとえば第２、第３のものを選択することもできる。各々のメッセージボードには後記するように、入力者名、入力日時、メッセージが表示されるようにしている。これらの情報は前記したとおり、ウェブサーバ部３１３のテレビ用ＨＴＭＬ（３１３１Ｈ）が、アプリケーションサーバ部３１２のメッセージボードプログラム３１２３Ｐを介して、データベース３１１から対象テレビのデータ３１１Ａ１を取り出し、これに含まれる入力者名、入力日時、メッセージに基づきテレビ用ＨＴＭＬを生成して、テレビＡ（１１０）に送信してその表示部１１００１に表示する。
【００５１】
なお、１６０３はテレビメーカやソフトウェア供給会社のコマーシャル表示部としているが、これも一例であってコマーシャル表示部が無くとも差し支えない。またアプリケーションキー領域１６０４の押しボタンからは、いくつかの付加機能をユーザが選択できるが、たとえば図中のメールを選んだ場合には、この表示部１６０３へ受信したメールを表示しても良い。同様にしてサーバ装置３１以外のサーバから電子掲示板システムとは別な形態のサービスを受ける場合には、そのサービスされた情報を表示部１６０３に表示しても良い。
【００５２】
次にテレビからのメッセージデータの編集方法について詳しく説明する。
図１２のステップＳ１２０３において、表示されるメッセージボードのいずれかをユーザが所定の時間内に選択しない場合には（図中のＮｏ）、そのままフローを終了する。いずれかを選択した場合には（図中のＹｅｓ）、ステップＳ１２０４でメッセージ編集のための画面が表示される。なお、メッセージボードの選択に際してユーザには、たとえば図１６の第１のメッセージボード１６０２をリモコン１１００７Ａにより選択するなどの方法がある。
【００５３】
ステップＳ１２０４で表示部１１００１に表示される画面の例を、図１７に示す。これは先の第１のメッセージボード１６０２を選択した場合である。これもやはり、ウェブサーバ部３１３のテレビ用ＨＴＭＬ（３１３１Ｈ）に基づき生成され、テレビへ送信されたものである。図１７で示す画面には、たとえば“メッセージを入力／変更する”と記された指示ボタン１７０１が表示されており、ステップＳ１２０５で所定の時間ユーザが指示ボタン１７０１を押さなかった場合には（図中のＮｏ）、編集しないものと判定して、ステップＳ１２０８において再度図１６で示したようなメッセージボードを表示する。
【００５４】
ユーザが指示ボタン１７０１を押した場合には（ステップＳ１２０５のＹｅｓ）、ステップＳ１２０６で、たとえば表示画面上にキーボードが表示され、ユーザはこれを用いてメッセージボード１６０２に対するテレビからのメッセージを入力する。メッセージ入力後の表示画面の例を図１８に示す。一例として、入力者の表示１８０１には“テレビ”という名前が、日時の表示部１８０２には現在時刻が、メッセージボード１８０３には先の１６０２に対し書き込まれたメッセージが表示されている。入力者名と日時はユーザの手を煩わせることなく、自動的に入力することができる。入力を終えた後にユーザは、たとえば“登録（トップへ）”と記された指示ボタン１７０２を押すと、入力したメッセージが確定される。
【００５５】
確定されたメッセージはステップＳ１２０７で、アプリケーションサーバ部３１２のメッセージボードプログラム３１２３Ｐに送られ、ここでテレビの識別ＩＤに基づき、データベース３１１の対象テレビ用のデータ格納エリアに格納する。たとえばテレビＡ（１１０）からのメッセージ情報はテレビＡ用のデータ格納部３１１Ａのメッセージデータ格納部３１１Ａ１へ格納される。この際、図１６の５個のメッセージボードのうち、第１のメッセージボード１６０２に書き込まれたメッセージは、図２のメッセージデータ格納部３１１Ａ１のメッセージデータ１に格納するようにすれば、テレビＡ（１１０）で表示される際の表示位置を定めることができる。また、メッセージデータとともに、これを書き込んだ日時をアプリケーションサーバ部３１２の時計部３１２６から取り込んで格納部３１１Ａ１のメッセージデータ１へ格納し、また入力者名として、たとえば“テレビ”を格納部３１１Ａ１のメッセージデータ１へ格納する。
【００５６】
格納後にステップＳ１２０８で、テレビ用メッセージボードＨＴＭＬ（３１３１Ｈ）がメッセージデータ処理部３１２３Ａを介してメッセージデータ格納部３１１Ａ１より、メッセージデータを書き込んだ日時や入力者名とともに取り出してＨＴＭＬを作成し、テレビＡ（１１０）へ送信する。これはテレビＡ（１１０）の表示部１１００１へ表示される。この際の表示画面の例を図１９に示す。５つのメッセージボードのうち、先のメッセージボードには編集したメッセージ１９０３のほか、入力者名の表示１９０１として“テレビ”が、メッセージを書き込んだ日時の表示部１９０２には、その日時が表示されている。なお、テレビ用メッセージボードＨＴＭＬ処理部３１３１は、メッセージデータ格納部３１１Ａ１のメッセージデータ１に記載されたデータを、たとえば図１９の１番目の番号を与えられた第１のメッセージボードに表示するようにＨＴＭＬを作成するため、アクセスするごとに特定のメッセージを表示されるエリアが変わることがないようにしている。またこれにより、複数のメッセージを時系列で表示することもできる。
【００５７】
次に図１３、図２０〜図２５を用いて、携帯電話からのログイン認証方法と、メッセージの編集方法について詳しく説明する。図１３は、携帯電話装置のメッセージ編集のフロー図である。図２０は、携帯電話装置のログイン画面を示す図である。図２１は、携帯電話装置のメッセージボードの画面を示す図である。図２２は、携帯電話装置のメッセージ編集の画面を示す図である。図２３は、携帯電話装置のメッセージ編集後の画面を示す図である。図２４は、携帯電話装置のメッセージボード編集後の画面を示す図である。図２５は、携帯電話装置のメッセージボード編集後におけるテレビジョン装置のメッセージボードの画面を示す図である。
【００５８】
まず携帯電話からのログイン認証方法について説明する。図６の携帯電話１１１は携帯電話のブラウザプログラム１１１０２Ｂから、基地局２０１とインタネット２１を介してサーバ装置３１へ接続される。
携帯電話１１１がサーバ装置３１のＵＲＬを入手する方法について、一例を説明する。先に用いた図１５のテレビジョン装置の設定画面において、サーバ装置３１における携帯電話用サイトのＵＲＬにつき、その二次元バーコードを図中の斜線部で示した二次元バーコード表示部１５０６に表示するようにしている。これを携帯電話１１１に搭載されたビデオカメラで読取ることにより簡単にＵＲＬを入手し、図６のメモリ部１１１０２Ｍに格納することができる。もちろん、キー操作部１１１０８から手動で入力する方法を用いても良い。
【００５９】
図１３のステップＳ１３０１では、ウェブサーバ部３１３の携帯電話用ＨＴＭＬ（３１３２Ｈ）により生成されたＨＴＭＬが携帯電話１１１へ送信され、その表示部１１１０１に表示される。この時の表示の一例を図２０に示す。
携帯電話の使用者である電子掲示板システムのサブユーザは、ステップＳ１３０２で携帯電話１１１のキー操作部１１１０８を用いてテレビＡ（１１０）の識別ＩＤを表示窓２００１に、先に図１５で設定したサブユーザのパスワードを表示窓２００２に入力し、たとえば“ログイン”と表示された押しボタン２００３を押して確定し、基地局２０１を介してサーバ装置３１へ送信する。この時ウェブサーバ部３１３の携帯電話用ＨＴＭＬ（３１３２Ｈ）は、アプリケーションサーバ部３１２に認証情報である前記テレビの識別ＩＤとサブユーザのパスワードを送る。
なお、テレビ用の識別ＩＤを手動入力することが困難である場合には、やはり図１５に示した二次元バーコードに識別ＩＤを含めておき、これを携帯電話のビデオカメラで撮影して、表示窓２００１へ自動的に入力する方法を用いても良い。
【００６０】
ステップＳ１３０３では、アプリケーションサーバ部３１２の携帯電話ログイン認証プログラム３１２２Ｐは、データベース３１１から対象となるテレビ識別ＩＤとサブユーザのパスワードを検索し、認証を行う。
【００６１】
認証の結果、入力した前記識別ＩＤまたは前記パスワードがデータベース３１１に格納されておらず、認証不可となった場合には（図中のＮｏ）、ステップＳ１３０４で携帯電話用ＨＴＭＬ（３１３２Ｈ）はエラー表示を作成して、携帯電話１１１に送信し、その表示部１１１０１に表示し、さらに改めてステップＳ１３０１で図２０の画面を表示して再度識別ＩＤとパスワードの入力を待つ。
【００６２】
ステップＳ１３０３で該当する識別ＩＤが格納された識別ＩＤの格納部３１１Ａ２と、パスワードが格納された携帯電話ログイン格納部３１１Ａ３が検出され、認証可となった場合には（図中のＹｅｓ）、ステップＳ１３０５でウェブサーバ部３１３は携帯電話用ＨＴＭＬ（３１３２Ｈ）に基づいて生成したＨＴＭＬを携帯電話へ送り、これにメッセージボード画面を表示する。この時、携帯電話用ＨＴＭＬ（３１３２Ｈ）はアプリケーションサーバ３１２を介して、データベース３１１に格納されている、対象とするテレビ識別ＩＤに対する全てのメッセージ情報、すなわち入力者名と入力日時とメッセージを取り出してＨＴＭＬを生成して携帯電話１１１に送信し、その表示部１１１０１に表示する。図２１はこの時の表示画面の一例を示したものである。データ格納部３１１Ａのメッセージデータ１に格納されていたメッセージは、やはり１番目のメッセージボード２１０１に表示される。
なお携帯電話は前記したようにパスワードとテレビの識別ＩＤでログインしているため、たとえば電話番号などを用いてサーバ装置と接続する場合に比べて、セキュリティを向上することができる。
【００６３】
次に携帯電話からのメッセージの編集方法について説明する。ステップＳ１３０６で図２１に示したメッセージボード画面より、サブユーザは、編集するボードを選択し決定する。所定の時間内に選択されない場合には（図中のＮｏ）、そのままフローを終了する。選択された場合には（図中のＹｅｓ）、編集作業を開始できる。先にテレビから入力したメッセージ２１０１に上書きすることも考えられるが、ここでは先ず別な第２のメッセージボード２１０２をキー操作部１１１０８により選択した場合を説明する。これに応じてステップＳ１３０７で、ウェブサーバ部３１３の携帯電話用ＨＴＭＬ（３１３２Ｈ）は、メッセージ編集画面を携帯電話１１１に送信して、その表示部１１１０１に表示する。その表示画面の一例を図２２に示す。メッセージボード２に対する入力画面が表示されている。
【００６４】
ステップＳ１３０８で、所定の時間ユーザがメッセージを入力しなかった場合には（図中のＮｏ）、編集しないものと判定して、ステップＳ１３１０において再度図２１で示したようなメッセージボード画面を表示する。編集する場合には（図中のＹｅｓ）、サブユーザは編集画面の編集エリア２２０１にキー操作部１１１０８から入力してテキスト編集する。この時の表示画面の一例を図２３に示す。新たにメッセージ２３０１を書き込んだうえで送信のための押しボタン２３０２を押すと、ステップＳ１３０９で、編集されたメッセージ情報はアプリケーションサーバ部３１２のメッセージボードプログラム３１２３Ｐを介して、データベース３１１の対象部分、すなわち図２のデータ格納部３１１Ａのメッセージデータ２に格納される。この時、入力したサブユーザ名とアプリケーションサーバ部３１２の時計部３１２６が示す日時も同様にメッセージデータ２に格納する。
【００６５】
格納後、携帯電話はステップＳ１３１０でメッセージボード画面に遷移するが、この時アプリケーションサーバ部３１２を介してメッセージデータ格納部３１１Ａ１より最新のメッセージ情報を読み出し、携帯電話用ＨＴＭＬ（３１３２Ｈ）に基づき作成されたＨＴＭＬによる表示をする。このため図２４に示すように、図２１に対して新たに作成したメッセージ２４０３とともに、新たな格納した日時２４０１、入力したサブユーザ名２４０２が追加されて表示される。
【００６６】
以上のようにして、携帯電話からメッセージが編集された後の、テレビでの表示について図２５に示す。この場合、テレビＡ（１１０）からウェブサーバ３１３のテレビ用ＨＴＭＬ（３１３１Ｈ）にアクセスし、アプリケーションサーバ部３１２のメッセージボードプログラム３１２３Ｐを介してデータベース３１１から最新の情報を取り出し、テレビ用ＨＴＭＬ（３１３１Ｈ）に基づき生成されたＨＴＭＬを受信して、テレビＡ（１１０）の表示部１１００１へ表示することとなる。このため図２５に示すように最新のメッセージ２５０３が、新たに入力したサブユーザ名２５０１と日時２５０２とともに、メッセージボード内の２番目のメッセージボードに表示される。なお、テレビ用ＨＴＭＬもメッセージボードの番号に応じて各メッセージボード内にメッセージを表示しているため、たとえば時系列で表示できるようにしている。これによりテレビを使用する在宅中のユーザと、外出中の携帯電話を使用するサブユーザとの間でメッセージの交換ができる電子掲示板システムを実現することができる。
【００６７】
次に図２６〜図２９を用いて、図２０〜図２５で示したものとは異なる一実施例を説明する。図２６は他の一実施例における携帯電話装置のメッセージ編集の画面を示す図である。図２７は他の一実施例における携帯電話装置のメッセージ編集後の画面を示す図である。図２８は他の一実施例における携帯電話装置のメッセージボード編集後の画面を示す図である。図２９は他の一実施例における携帯電話装置のメッセージボード編集後におけるテレビジョン装置のメッセージボードの画面を示す図である。
【００６８】
先に図１３のステップＳ１３０６で図２１に示したメッセージボード画面より、サブユーザが編集するボードを選択し決定する際に、先にテレビから入力したメッセージ２１０１に上書きするようキー操作部１１１０８により選択した場合を説明する。これに応じてステップＳ１３０７で、ウェブサーバ部３１３の携帯電話用ＨＴＭＬ（３１３２Ｈ）は、メッセージ編集画面を携帯電話１１１に送信して、その表示部１１１０１に表示する。その表示画面の一例を図２６に示す。先の図２２とは異なり、メッセージボード１に対する入力画面が表示されている。
【００６９】
ステップＳ１３０８で、所定の時間ユーザがメッセージを入力しなかった場合には（図中のＮｏ）、編集しないものと判定して、ステップＳ１３１０において再度図２１で示したようなメッセージボード画面を表示する。編集する場合には（図中のＹｅｓ）、サブユーザは編集画面の編集エリア２６０１にキー操作部１１１０８から入力してテキスト編集する。この時の表示画面の一例を図２７に示す。新たにメッセージ２７０１を書き込んだうえで送信のための押しボタン２７０２を押すと、ステップＳ１３０９で、編集されたメッセージ情報はアプリケーションサーバ部３１２のメッセージボードプログラム３１２３Ｐを介して、データベース３１１の対象部分、すなわち図２のデータ格納部３１１Ａのメッセージデータ１に格納される。この時、入力したサブユーザ名とアプリケーションサーバ部３１２の時計部３１２６が示す日時も同様にメッセージデータ１に格納する。この場合は、先の図４（ｃ）で示したようにメッセージ情報１として、先にテレビから入力した情報と、新たに携帯電話から入力した情報の双方がサーバ装置３１のメッセージデータ格納部３１１Ａ１に格納される。
【００７０】
格納後、携帯電話はステップＳ１３１０でメッセージボード画面に遷移するが、この時アプリケーションサーバ部３１２を介して最新のメッセージ情報を読み出し、携帯電話用ＨＴＭＬ（３１３２Ｈ）に基づき作成されたＨＴＭＬによる表示をする。このため図２８に示すように、先のメッセージボード１には新たに作成したメッセージ２８０３が表示されるとともに、格納した日時２４０１、入力したサブユーザ名２４０２も新たに書替えられて表示される。すなわち、先にメッセージボード２に対して入力した図２４の場合とは表示が異なっている。
【００７１】
以上のようにして、携帯電話からメッセージが編集された後の、テレビでの表示について図２９に示す。この場合、テレビＡ（１１０）からウェブサーバ３１３のテレビ用ＨＴＭＬ（３１３１Ｈ）にアクセスし、アプリケーションサーバ部３１２のメッセージボードプログラム３１２３Ｐを介してデータベース３１１から最新の情報を取り出し、テレビ用ＨＴＭＬ（３１３１Ｈ）に基づき生成されたＨＴＭＬを受信して、テレビＡ（１１０）の表示部１１００１へ表示する。このため図２９に示すように最新のメッセージ２９０３が、メッセージボード内の１番目のメッセージボードを図１９に対して書替えて表示され、さらに入力したサブユーザ名２９０１と日時２９０２も新たに書替えられて表示される。このようにすれば、既に書き込まれたメッセージに対する返信する際に、同じメッセージボードを使うことになり、その有効な活用ができる。
なお、図２６の入力画面において、既にメッセージボード１に書かれていたメッセージを表示し、必要に応じてサブユーザがこれに追記するようにすれば、過去のログを残すことができる。この際にログを残す必要がなければ、サブユーザはこれを消去して上書きすれば良い。
【００７２】
以上のようにしてメッセージ情報は、図４ないし図１５で示したサブユーザのパスワードと、テレビやサブユーザを含む入力者名を伴って入力日時とともにサーバ装置３１で管理されており、これらを図２のメッセージデータ格納部３１１Ａ１に格納することで、メッセージを書替えた際に、入力日時と入力者名も書替えて表示部１１００１、１１１０１に表示される。テレビでは識別ＩＤが、携帯電話では識別ＩＤに相当するパスワードが、サーバ装置３１で検出されてログインした入力者名を知り、前記した入力者名の表示を書替えることを、本実施例の特徴の一つとしている。
【００７３】
次に図３０〜図３３を用いて、別な実施例について説明する。図３０は、テレビジョン装置のブロック図である。図３１は、テレビジョン装置の表示画面を示す図である。図３２は、テレビジョン装置の表示方法を示す図である。図３３は、テレビジョン装置の表示処理のフロー図である。
【００７４】
図３０においてテレビ（１１０Ａ）は、図５のテレビ１１０と比較し、メッセージ表示プログラム１１００２Ｄが追加されている点が異なる。このメッセージ表示プログラム１１００２Ｄとは、たとえばテレビの表示部にＯＳＤ（On Screen Display）と呼ばれる形態で、文字情報などをテロップ状に表示するもので良い。先のサーバ装置３１に内蔵するテレビ用ＨＴＭＬに比較すれば、遥かに簡単なもので構成でき、テレビの高価格化の恐れは少ないものである。
【００７５】
サーバ装置３１に接続した時の設定などは、図５のテレビ（１１０）と同じであるため説明を省略する。図３０の場合、メッセージ表示プログラム１１００２Ｄがテレビの動作中は起動されており、テレビ（１１０Ａ）の時計部１１０１０で計測した時刻が所定の時間を経るごとに、ウェブサーバ部３１３のテレビ用ＨＴＭＬ（３１３１Ｈ）にアクセスを行い、アプリケーションサーバ部３１２のメッセージボードプログラム３１２３Ｐを介して、データベース３１１からメッセージ情報を読み出す。メッセージ表示プログラム１１００２Ｐは読み出したメッセージ情報に含まれる日時と前回アクセスした時の日時を比較し、後者よりも新しい日時のメッセージがある場合には、これを最新のメッセージ情報として、テレビ側で放送映像の一部に前記したＯＳＤ表示のようなメッセージの表示ウィンドウを設けて表示する。
【００７６】
この場合の表示形態につき、図３１と図３２を用いて説明する。通常は全体の画面を放送波表示エリア３１０１として用い、受信した放送波による放送番組の表示が行われている。前記のようにして新しい日時のメッセージを検出した場合には、その一部にメッセージの表示ウィンドウ３１０２を設ける。そして図３２に示すように、メッセージ例３２０１のように表示ウィンドウ３１０２に全体が収まらない場合には、文字を右から左へスクロールして全体のメッセージを表示する。表示ウィンドウ３１０２の大きさは限られるため、前記した最新のメッセージ情報のみを表示すると良い。
【００７７】
このようにすれば、所定時間ごとに新着のメッセージを自動的に表示することができ、情報の伝達に要する時間を低減できる効果がある。もちろん先の図２５などで示した画面を用いる場合でも、新しいメッセージが格納されるごとに自動的に表示する方法もあるが、番組を視聴中に画面全体が突然に電子掲示板の表示に切替る問題がある。このため図２５の画面の一部に放送中の番組をＯＳＤ表示することも考えられる。
【００７８】
またメッセージ情報そのものをサーバ装置３１から読み出すことは共通しているが、図３１、図３２で示す表示画面は、テレビが内蔵するメッセージ表示プログラム１１００２Ｄで生成されるものであり、図２５で示す表示画面はサーバ装置３１が内蔵するテレビ用ＨＴＭＬ生成（３１３１Ｈ）で生成される点で異なっている。しかしテレビにおいては、前記したように価格的な問題は少ない。
【００７９】
次に図３３を用いて、動作フローを説明する。テレビが起動するとともに、ステップＳ３３０１でテレビが内蔵するメッセージ表示プログラム１１００２Ｄを起動する。ステップＳ３３０２では、メッセージ表示プログラム１１００２Ｄはテレビの時計部１１０１０の示す時間の経過に基づき、前回の新着メッセージ確認後、所定の時間を経過したかを判定する。ステップＳ３３０２での判定の結果、まだ所定時間を経過していない場合には（図中のＮｏ）、改めてステップＳ３３０２を実行する。所定時間を経過している場合には（図中のＹｅｓ）、ステップＳ３３０３でメッセージ表示プログラム１１００２Ｄは、ウェブサーバ部３１３にアクセスし最新メッセージ情報の入手に取り掛かる。
【００８０】
ステップＳ３３０４でメッセージ表示プログラム１１００２Ｄは、メッセージに伴い格納されている入力日時を参照して、前回アクセスした以後の新着メッセージがあるかを判定する。新着メッセージがない場合には（図中のＮｏ）、ステップＳ３３０２に戻る。新着メッセージがある場合には（図中のＹｅｓ）、ステップＳ３３０５でメッセージ表示プログラム１１００２Ｄは、テレビに図３１で一例を示したようなメッセージ表示ウィンドウ３１０２を表示する。またメッセージがこのウィンドウ３１０２に収まらなければ、ステップＳ３３０６において図３２で一例を示したようなスクロール表示を行い、メッセージ全体が表示されるようにする。その後ステップＳ３３０７で前記した所定時間の待機を行い、ステップＳ３３０２に戻る。この動作は電源を切断するなどして、テレビの動作が終了するまで継続する。
【００８１】
なお、これまで多くの実施形態を説明したが、以上の実施形態はあくまで一例であり、本発明はこれに限定されるものではない。このほかにも様々な変形を加えたさらに多くの実施形態が考えられるが、いずれも本発明の範疇にある。
【符号の説明】
【００８２】
１１，１２：情報端末群、１１０，１２０：テレビジョン、１１１〜１１Ｎ，１２１〜１２Ｎ：携帯電話、１１００１，１１１０１：表示部、１１００２Ｉ：テレビの識別ＩＤ、１１００２Ｂ、１１１０２Ｂ：ブラウザプログラム、１１００３，１１１０３：通信処理部、１１００４：バス制御部、１１００７：リモコン受光部、１１００８：文字入力処理部、１１０１０：時計部、１１１０８：キー操作部、２１：インタネットのネットワーク、２０１：携帯電話基地局、３１：サーバ装置、３１１：データベース格納部、３１２：アプリケーションサーバ部、３１３：ウェブサーバ部、３１４：通信処理部、３１１３Ａ，３１１３Ｂ，３１２０，３１３０：ハードディスク装置、３１１４：ＲＡＩＤ制御部、３１１５，３１２５，３１３５：通信処理部、３１２１：テレビ識別ＩＤ確認部、３１２１Ｐ：メッセージボードプログラム、３１２２：ログイン認証部、３１２２Ｐ：携帯電話ログイン認証プログラム、３１２３Ａ，３１２３Ｂ：メッセージデータ処理部、３１２３Ｐ：メッセージボードプログラム、３１２４，３１３４：バス制御部、３１２６：時計部、３１３１：テレビ用メッセージボードＨＴＭＬ処理部、３１３１Ｈ：テレビ用ＨＴＭＬ、３１３２Ｈ：携帯電話用ＨＴＭＬ、３１３２：携帯電話用メッセージボードＨＴＭＬ処理部、３１３３：携帯電話ログインＨＴＭＬ処理部。
【図１】
2010176394.tif 000003
【図２】
2010176394.tif 000004
【図３】
2010176394.tif 000005
【図４】
2010176394.tif 000006
【図５】
2010176394.tif 000007
【図６】
2010176394.tif 000008
【図７】
2010176394.tif 000009
【図８】
2010176394.tif 000010
【図９】
2010176394.tif 000011
【図１０】
2010176394.tif 000012
【図１１】
2010176394.tif 000013
【図１２】
2010176394.tif 000014
【図１３】
2010176394.tif 000015
【図１４】
2010176394.tif 000016
【図１５】
2010176394.tif 000017
【図１６】
2010176394.tif 000018
【図１７】
2010176394.tif 000019
【図１８】
2010176394.tif 000020
【図１９】
2010176394.tif 000021
【図２０】
2010176394.tif 000022
【図２１】
2010176394.tif 000023
【図２２】
2010176394.tif 000024
【図２３】
2010176394.tif 000025
【図２４】
2010176394.tif 000026
【図２５】
2010176394.tif 000027
【図２６】
2010176394.tif 000028
【図２７】
2010176394.tif 000029
【図２８】
2010176394.tif 000030
【図２９】
2010176394.tif 000031
【図３０】
2010176394.tif 000032
【図３１】
2010176394.tif 000033
【図３２】
2010176394.tif 000034
【図３３】
2010176394.tif 000035